(57)【要約】【課題】  携帯電話を用いて商品注文を行うシステム構成を簡易なものとすること、また、携帯電話と商品情報を提供する情報源との間において、双方向通信に因らずに利用者への商品情報の提供及び利用者からの商品注文を行うこと。【解決手段】  携帯端末４は、撮像手段４ａと、撮像手段が撮像した、商品映像及び当該商品の商品情報が表示された表示画像の撮像画像から商品情報を抽出する情報抽出手段４ｂと、抽出した商品情報に基づいて外部の商品センタに商品注文を行う注文手段４ｇとを備え、情報抽出手段４ｂは撮像した表示装置３の画像から商品情報を抽出し、注文手段４ｇは、抽出した商品情報に基づいて外部の商品センタ５に商品注文を行う。【選択図】  図２
2005122516.tif 000002
【特許請求の範囲】
【請求項１】
撮像手段と、
前記撮像手段が撮像した、商品映像及び当該商品の商品情報が表示された表示画像の撮像画像から商品情報を抽出する情報抽出手段と、
抽出した商品情報に基づいて外部の商品センタに商品注文を行う注文手段とを備えることを特徴とする携帯端末。
【請求項２】
撮像手段と外部の商品センタに商品注文を行う注文手段とを有する携帯端末と、
商品情報を含む画像から当該商品情報を抽出する情報抽出手段を有する検索サーバとを備え、
前記携帯端末は、前記撮像手段により商品映像及び当該商品の商品情報が表示された表示画像を撮像した撮像画像を検索サーバに送り、
前記検索サーバの情報抽出手段は、携帯端末から送られた撮像画像から商品情報を抽出し、前記携帯端末は、検索サーバから送られた商品情報に基づいて商品センタにアクセスし商品注文を行うことを特徴とする発注システム。
【請求項３】
前記商品情報は、通信先情報と商品を特定する商品識別情報を含み、
前記携帯端末は、抽出した通信先情報に基づいて商品センタにアクセスし、抽出した商品識別情報を商品センタに送信することにより商品注文を行うことを特徴とする請求項２に記載の発注システム。
【請求項４】
撮像手段と外部の商品センタに商品注文を行う注文手段とを備える携帯端末と、
前記携帯端末と外部の商品センタとの間を通信接続する管理サーバとを備え、
前記管理サーバは、商品情報を含む画像から当該商品情報を抽出する情報抽出手段を有し、
前記携帯端末は、撮像手段により商品映像及び当該商品の商品情報が表示された表示画像を撮像し、当該撮像画像を管理サーバに送り、
前記管理サーバの情報抽出手段は、携帯端末から送られた撮像画像から商品情報を抽出し、当該商品情報に基づいて外部の商品センタにアクセスし、
前記携帯端末の注文手段は、前記管理サーバを通して商品センタに商品注文を行うことを特徴とする発注システム。
【請求項５】
前記商品情報は、商品画像に重ねて表示するバーコード又は二次元コードのコード情報、又は商品画像に組み込まれるすかし情報であることを特徴とする請求項１乃至４の何れかに記載の発注システム。
【請求項６】
前記携帯端末は、表示画面上の領域を指定することにより、表示画面に表示された複数の商品映像から特定の商品映像を指定することを特徴とする請求項１乃至５の何れかに記載の発注システム。
【請求項７】
撮像手段と外部の商品センタに商品注文を行う注文手段とを備える携帯端末と、
商品情報を含む画像から当該商品情報を抽出する情報抽出手段を有すると共に、携帯端末の通信相手を当該通信先に転送する機能を有する情報管理サーバとを備え、
前記携帯端末は商品映像が表示された表示画像を撮像した撮像画像を情報管理サーバに送り、情報管理サーバの情報抽出手段は携帯端末から送られた撮像画像を用いて通信先及び商品情報を抽出し、携帯端末の通信相手を抽出した通信先に転送し、携帯端末は転送により通信接続された商品センタに前記情報管理サーバの情報抽出手段で抽出した商品情報に基づいて商品注文を行うことを特徴とする発注システム。
【請求項８】
前記情報管理サーバは、商品映像の放送を管理し、
前記情報抽出手段は、撮像時刻と商品情報の放送時刻情報との照合により商品映像を特定し、当該商品の商品情報を抽出することを特徴とする請求項７に記載の発注システム。
【請求項９】
前記情報抽出手段は、通信先のインターネット上のＵＲＬ情報、及び当該ＵＲＬ情報と通信先情報との対応関係を記録し、抽出した通信先情報に対応するＵＲＬ情報を読み出すことを特徴とする請求項１乃至８の何れかに記載の発注システム。
【請求項１０】
前記商品センタは、複数の商品情報提供元の商品注文を管理するサーバ、及び／又は、各商品情報提供元が管理するサーバであることを特徴とする請求項１乃至９の何れかに記載の発注システム。
【請求項１１】
前記注文手段は、前記商品識別情報に付加情報を付加して商品センタに送信することを特徴とする請求項１乃至１０の何れかに記載の発注システム。
【請求項１２】
前記付加情報は、注文する商品の数量、及び／又は商品の属性であることを特徴とする請求項１乃至１１の何れかに記載の発注システム。
【請求項１３】
前記属性は、色情報及び／又はサイズ情報を含むことを特徴とする請求項１２に記載の発注システム。
【発明の詳細な説明】
【技術分野】
【０００１】
本発明は、商品の発注システム及び携帯端末に関し、特に、放送信号を受信する放送受信機の表示画像など、表示装置に表示された商品の画像を用いて商品発注を行う発注システム、及びこの商品発注に用いる携帯端末に関する。
【背景技術】
【０００２】
テレビショッピング等によって商品を注文し購入する場合、利用者は購入を希望する商品の商品名や商品番号を控えておき、電話により注文を行っている。このテレビショッピングによる商品の注文方法では、希望する商品の商品名や商品番号を控える必要があるという問題がある。また、電話を用いて注文を行うため、電話回線が込み合っている場合には電話の接続が難しくなるという問題もある。
【０００３】
このような電話回線を用いた注文の問題を解決するために、携帯電話を用いた方法が提案されている（例えば、特許文献１参照）。
【０００４】
この文献に示される方法は、放送波を用いて商品情報を放送受信者に商品情報を提供し注文を行わせるものであり、商品情報をデータ変換して映像信号及び音声信号と同期させて放送し、映像信号中の購入可能な商品の情報を映像信号に同期させて受信端末に表示させ、受信端末によりブラウザ機能を有する携帯電話と双方向通信を行うことによって、希望商品を携帯電話から注文するものである。
【特許文献１】特開２００２−２３２８６６号公報
【発明の開示】
【発明が解決しようとする課題】
【０００５】
上記文献で示される注文方法では、携帯電話のブラウザ機能を利用することによりテレビ等の放送受信機と携帯電話との間で双方向通信を行い、これにより商品の注文を行うものであるため、携帯電話及び放送受信機のいずれにも双方向通信を行う機能を備える必要があり、かつ、両方の機器が備える双方向通信のインタフェースが互いに対応可能であることが必要である。
【０００６】
例えば、双方向通信として、赤外線を用いたIrDA、Bluetoothや無線ＬＡＮ等の近距離無線通信の他、コード接続があるが、これらの各方式ではソフトやハードにおいてインタフェースの規格がそれぞれ設定されており、双方通信を行うには双方の規格が一致している必要がある。
【０００７】
そのため、携帯電話及び放送受信機のいずれか一方でも双方向通信を行う機能を備えていない場合や、双方向通信を行う機能を備えている場合であっても双方が備える双方向通信のインタフェースが合わない場合には、携帯電話と放送受信機との間で双方向通信を行うことができないという問題がある。
【０００８】
この双方向通信に関わる問題は、携帯電話の双方向通信相手が放送受信機に限らず生じる性質であり、携帯電話によって双方向通信を行う際に必然的に発生する問題である。
【０００９】
そこで、本発明は、前記した課題を解決して、携帯電話を用いて商品注文を行うシステム構成を簡易なものとすることを目的とし、また、携帯電話と商品情報を提供する情報源との間において、双方向通信に因らずに利用者への商品情報の提供及び利用者からの商品注文を行うことを目的とする。
【課題を解決するための手段】
【００１０】
本発明において、商品情報源から得られる画像情報を表示して得られる表示画像を携帯端末の撮像機能により撮像し、この撮像画像を用いることにより双方向通信に因ることなく商品注文を可能とするものである。
【００１１】
本発明において携帯端末が取得する商品情報源は、携帯端末の撮像手段で撮像することができる表示画像であれば、その必要画像の情報源は放送局に限られるものではなく、任意の情報源に適用することができる。
【００１２】
本発明は、撮像機能を有する携帯端末により放送受信機等の表示装置の画面に表示された画像を撮像し、この撮像画像から商品情報を抽出することにより、注文先へのアクセス及び商品注文を簡易とするものであり、撮像機能を有した携帯端末を用いることで、携帯電話や放送受信機などの表示装置が双方向通信機能を備えない場合であっても、また、双方向通信のインタフェースが異なる場合であっても商品注文を行うことができる。
【００１３】
本発明の発注システムは、携帯端末の撮像画像から商品情報を抽出する際に、複数の形態で行うことができる。
【００１４】
第１の形態は撮像画像から商品情報を抽出する機能を携帯端末に持たせた携帯端末であり、第２の形態は撮像画像から商品情報を抽出する機能をインターネット上の検索サーバに持たせた注文システムであり、第３の形態は撮像画像から商品情報を抽出する機能を携帯端末と商品の注文先との間を接続する管理サーバに持たせた注文システムであり、第４の形態は撮像画像から商品情報を抽出する機能を放送情報を有する放送局サーバに持たせた注文システムである。
【００１５】
なお、携帯端末は、携帯電話の他、撮像機能及びインターネットとの接続機能を備える携帯型の端末である。例えば、ＰＨＳやＰＤＡが挙げられる。
【００１６】
第１の形態において、携帯端末は撮像画像から商品情報を抽出する機能を持ち、表示装置に映し出される画像を撮像し、撮像画像から商品情報を抽出し、この商品情報に基づいて注文先にアクセスし希望する商品を注文する。
【００１７】
第１の形態の携帯端末は、撮像手段と、撮像手段が撮像した、商品映像及び当該商品の商品情報が表示された表示画像の撮像画像から商品情報を抽出する情報抽出手段と、抽出した商品情報に基づいて外部の商品センタに商品注文を行う注文手段とを備える。
【００１８】
携帯端末において、情報抽出手段は撮像した表示装置の画像から商品情報を抽出し、注文手段は、抽出した商品情報に基づいて外部の商品センタに商品注文を行う。
【００１９】
第２の形態において、撮像画像から商品情報を抽出する機能をインターネット上の検索サーバに持たせる。携帯端末は表示装置に映し出される画像を撮像し、撮像画像を検索サーバに送る。検索サーバは撮像画像から商品情報を抽出し、携帯端末はこの商品情報に基づいて注文先にアクセスし希望する商品を注文する。
【００２０】
第２の形態の発注システムは、撮像手段と外部の商品センタに商品注文を行う注文手段とを有する携帯端末と、商品情報を含む画像から当該商品情報を抽出する情報抽出手段を有する検索サーバとを備える。
【００２１】
携帯端末は、撮像手段により商品映像及び当該商品の商品情報が表示された表示画像を撮像した撮像画像を検索サーバに送る。検索サーバの情報抽出手段は、携帯端末から送られた撮像画像から商品情報を抽出し、携帯端末は、検索サーバから送られた商品情報に基づいて商品センタにアクセスし商品注文を行う。
【００２２】
ここで、商品情報は、通信先情報と商品を特定する商品識別情報を含む。携帯端末は、抽出した通信先情報に基づいて商品センタにアクセスし、抽出した商品識別情報を商品センタに送信し商品注文を行う。
【００２３】
この第２の形態によれば、通信先情報や商品識別情報等の商品情報は検索サーバが持つため、携帯端末の負担を軽減することができる。
【００２４】
第３の形態において、撮像画像から商品情報を抽出する機能を、携帯端末と商品の注文先との間を接続する管理サーバに持たせる。携帯端末は表示装置に映し出される画像を撮像し、撮像画像を管理サーバに送る。管理サーバは撮像画像から商品情報を抽出する。管理サーバは、商品情報に基づいて注文先にアクセスし、携帯端末はこの管理サーバを通してこの希望する商品を注文する。
【００２５】
第３の形態の発注システムは、撮像手段と外部の商品センタに商品注文を行う注文手段とを備える携帯端末と、携帯端末と外部の商品センタとの間を通信接続する管理サーバとを備える。
【００２６】
管理サーバは、商品情報を含む画像から商品情報を抽出する情報抽出手段を有する。携帯端末は、撮像手段により商品映像及びこの商品の商品情報が表示された表示画像を撮像し、撮像した撮像画像を管理サーバに送る。管理サーバの情報抽出手段は、携帯端末から送られた撮像画像から商品情報を抽出し、抽出した商品情報に基づいて外部の商品センタにアクセスする。携帯端末の注文手段は、管理サーバを通して商品センタに商品注文を行う。
【００２７】
この第３の形態によれば、携帯端末は管理サーバとのみ接続すればよく、商品センタにアクセスする必要がない。そのため、商品センタの接続のためのアクセス情報を保持する必要が無く、また、商品センタへのアクセス処理も不要となる。
【００２８】
上記した第１〜第３の形態において、商品情報は、商品画像に重ねて表示するバーコード又は二次元コードのコード情報、又は商品画像に組み込まれるすかし情報とすることができ、各情報抽出手段はこれらコード情報やすかし情報を解読する機能を備える。
【００２９】
また、第１〜第３の形態において、携帯端末は表示画面上の領域を指定することにより、表示画面に表示された複数の商品画像から特定の商品画像を指定することができる。従って、携帯端末が複数の商品画像を撮像した場合であっても、複数の商品画像から注文希望の商品画像を指定することができる。
【００３０】
第４の形態において、撮像画像から商品情報を抽出する機能を放送局サーバに持たせる。携帯端末は放送受信機に映し出される画像を撮像し、撮像画像を放送局サーバに送る。放送局サーバに放送情報を持たせることにより、放送局サーバは放送局から取得した放送情報を利用して撮像画像から商品情報を抽出する。放送局サーバ、商品情報に基づいて注文先にアクセスし、このアクセスを携帯端末に転送する。携帯端末は転送された注文先に対して希望する商品を注文する。
【００３１】
第４の形態の発注システムは、撮像手段と外部の商品センタに商品注文を行う注文手段とを備える携帯端末と、商品情報を含む画像から当該商品情報を抽出する情報抽出手段を有すると共に、携帯端末の通信相手を当該通信先に転送する機能を有する情報管理サーバとを備える。
【００３２】
携帯端末は商品映像が表示された表示画像を撮像した撮像画像を情報管理サーバに送る。情報管理サーバの情報抽出手段は、携帯端末から送られた撮像画像を用いて通信先及び商品情報を抽出し、携帯端末の通信相手を抽出した通信先に転送する。携帯端末は携帯端末は転送により接続された外部の商品センタとの間で放送局サーバで抽出した商品情報に基づいて商品注文を行う。
【００３３】
この第４の形態によれば、放送局から放送する放送波に商品情報を付加することなく、利用者に商品情報を提供し、商品発注を行うことができる。
【００３４】
第１〜第４の形態において、情報抽出手段は、通信先のインターネット上のＵＲＬ情報、及びＵＲＬ情報と通信先情報との対応関係を記録しておき、抽出した通信先情報に対応するＵＲＬ情報を読み出す。このＵＲＬ情報を用いることにより、インターネット上に設けた通信先にアクセスすることができる。
【００３５】
また、第１〜第４の形態において、商品センタは、複数の商品情報提供元の商品注文を管理するサーバや各商品情報提供元が管理するサーバとすることができる。
【００３６】
また、注文手段は、商品識別情報に付加情報を付加して商品センタに送信する。付加情報は、商品注文に必要とする、注文する商品の数量や商品の属性とする。この属性は、商品に各種のバリエーションを与えるものであり、例えば、色情報やサイズ情報とすることができる。
【００３７】
また、第１〜第４の形態において、表示装置は、商品画像や商品情報を含む画像データを表示する機能を備える表示手段を備える装置であり、例えば、放送局から放送される放送波を受けて表示を行う放送受信機、磁気記録媒体，ＤＶＤ等記録媒体を再生して得られる再生信号を表示するＨＤ（記録）再生装置やＤＶＤ（記録）再生装置、あるいは、送信装置からケーブルを介して送ら送信信号を表示して表示する表示装置等、画像データを画像表示する表示機能を備える任意の装置に適応することができる。
【発明の効果】
【００３８】
本発明の発注システムによれば、携帯端末を用いて商品注文を行うシステム構成を簡易とすることができる。
【００３９】
また、携帯端末と商品情報を提供する情報源との間において、双方向通信に因らずに利用者への商品情報の提供及び利用者からの商品注文を行うことができる。
【発明を実施するための最良の形態】
【００４０】
以下、本発明の実施の形態について、図を用いて詳細に説明する。  
【００４１】
以下、図１〜図６を用いて本発明の発注システムの第１の形態を説明し、図７〜図１０を用いて本発明の発注システムの第２の形態を説明し、図１２〜図１５を用いて本発明の発注システムの第３の形態を説明し、図１６〜図２０を用いて本発明の発注システムの第４の形態を説明する。
【００４２】
はじめに、本発明の第１の形態を説明する。第１の形態において、携帯端末は撮像画像から商品情報を抽出する機能を持ち、表示装置に映し出される画像を撮像し、撮像画像から商品情報を抽出し、この商品情報に基づいて注文先にアクセスし希望する商品を注文するものである。
【００４３】
図１は本発明の第１の形態を説明するための概略図である。図１において、画像情報源２は商品画像や商品情報等の画像データを備え、表示装置３に画像データを送る。画像情報源２は、例えば、放送局２ａ，再生装置２ｂ，送信装置２ｃ等、商品画像や商品情報を含む画像データを有し、表示装置３に送信する。
【００４４】
放送局２ａは、商品映像に商品情報を重ねて形成した映像信号を送信して放送を行う。再生装置２ｂは、磁気記録媒体，ＤＶＤ等記録媒体を再生して再生信号を出力する装置であり、ＨＤ（記録）再生装置やＤＶＤ（記録）再生装置とすることができる。
【００４５】
送信装置２ｃは、ケーブルを用いた有線や無線ＬＡＮ等を用いた無線により、映像信号を送信する装置である。
【００４６】
表示装置３は、画像データを受けて表示する機能を備える表示手段を持つ装置であり、例えば、放送局２ａから放送される放送波を受けて表示を行う放送受信機、磁気記録媒体，ＤＶＤ等記録媒体を再生して得られる再生信号を表示するＨＤ（記録）再生装置やＤＶＤ（記録）再生装置、あるいは、送信装置からケーブルや無線ＬＡＮ等を介して送られた送信信号を表示する表示装置等、画像データを画像表示する表示機能を備える任意の装置に適応することができる。
【００４７】
図１において、画像情報源２は、商品映像に商品情報を重ねて形成した画像データを送信し、表示装置３は、画像情報源２から送信された画像データを受信して画像データを表示する。携帯端末４はこの表示画像を撮像機能を用いて撮像する。
【００４８】
画像情報源２において、例えば、放送局２ａは映像信号や音声信号の放送波を放送し、放送受信機３はこの放送波を受信し、映像信号を画像表示したり、音声信号を音声出力することにより利用者に各種情報を提供する。ここで、この放送波を利用する構成では、放送局２は注文を受け付ける商品の商品映像に商品情報を重ねて映像信号を形成して放送する。
【００４９】
商品情報は、商品番号等の商品を特定するための情報や、当該商品を注文するための注文先であって携帯端末４が通信することができる通信先の情報である。この商品情報は、撮像した画像から抽出できる形態であり、例えば、二次元コードやバーコードや、画像中に組み込んだすかし等を適用することができる。図５に示す放送受信機の表示画像例では、商品映像にバーコードを重ねた映像の例を示している。
【００５０】
表示装置（放送受信機）３は、画像データ（放送波）を受信し、商品映像と共に商品情報を表示画面上に表示する。携帯端末４は、撮像機能により放送受信機３の画像を撮像し、この画像から商品情報を抽出する。
【００５１】
図５は、表示装置（放送受信機）の表示画面を携帯端末で撮像した状態と、この撮像した画像から商品情報を抽出した状態を示している。バーコードにより表示された商品情報は携帯端末内で解読され、通信先や商品番号等の情報が抽出される。図５では、通信先としてインターネット上のＵＲＬ情報＊＊＊が抽出され、商品番号がＮｏ．０００１の食器の商品情報が抽出される例を示している。
【００５２】
携帯端末４は、抽出した商品情報の通信先を用いて外部の商品センタ５にアクセスし、抽出した商品情報の商品番号の他、数量や色やサイズ等の付加情報を商品センタ５に送信することにより購入を希望する商品の注文を行う。なお、携帯端末４は、注文を行う前に、商品の詳細情報を商品センタ５に要求することもできる。
【００５３】
この形態によれば、表示装置（放送受信機）３から携帯端末４への情報の授受は、携帯端末４が表示装置（放送受信機）３の表示画面を撮像することにより行うことができるため、表示装置（放送受信機）及び携帯端末４に双方向通信を行うための機能や同一規格のインタフェースは不要である。
【００５４】
通信先としては、複数の商品供給者（商品情報提供者）をまとめて管理する商品センタ５の他に、各商品の商品供給者が個々に管理する各商品サーバ６とすることもできる。
【００５５】
商品センタ５が行う管理形態として、例えば、複数の商品供給者の商品の受注管理を一括して受け、利用者から受けた商品注文を各商品供給者に通知する形態、複数の商品供給者の商品受注及び商品発送の管理を一括して受け、利用者からの商品注文と利用者への商品発送を行い、管理状況を商品供給者に通知する形態等の任意の形態とすることができる。
【００５６】
なお、携帯端末４と商品サーバ６との間で行う処理は、前記した携帯端末４と商品センタ５との間で行う処理と同様とすることができる。
【００５７】
なお、上記では、抽出先としてＵＲＬ情報等のインターネット上のサーバに接続するための情報の例を示しているが、通信先はインターネット上のサーバに限らず、電話回線上の電話番号とすることもできる。
【００５８】
次に、第１の形態の携帯端末の構成例について図２を用いて説明する。図２において、携帯端末４は、撮像手段４ａ，情報抽出手段４ｂ，記録手段４ｃ，入力手段４ｄ，表示手段４ｅ，照会手段４ｆ，注文手段４ｇ等の各手段を備える。
【００５９】
撮像手段４ａは、表示装置（放送受信機）３の表示画面を撮像して画像データを取得する手段であり、例えば携帯端末として携帯電話を適用した場合には、カメラ付き携帯電話が備えるカメラとすることができる。
【００６０】
情報抽出手段４ｂは、撮像手段４ａで取得した画像データを画像処理して、画像中に含まれる商品情報を抽出する手段である。商品情報が二次元コードやバーコードで表されている場合には、この二次元コードやバーコードを画像中から識別して取りだし、このコードを解読して記述されている通信先や商品番号等の商品情報を抽出する。この解読を行うために、情報抽出手段４ｂはコードから商品情報を解読する解読ソフトウエアを備える。
【００６１】
また、商品情報が画像中にすかしにより組み込まれている場合には、このすかし部分を画像中から識別して取りだし、このすかし部分を解読して記述されている通信先や商品番号等の商品情報を抽出する。この解読を行うために、情報抽出手段４ｂはすかしから商品情報を解読する解読ソフトウエアを備える。
【００６２】
入力手段４ｄは、商品注文の際に、注文する数量や注文商品の色やサイズ等の付加情報を入力する手段であり、例えば携帯端末として携帯電話を適用した場合には、携帯電話が備えるボタンとすることができる。
【００６３】
記録手段４ｃは、情報抽出手段４ｂで抽出した商品情報や、入力手段４ｄで入力した付加情報を記録する手段である。
【００６４】
表示手段４ｅは、撮像手段４ａで撮像した画像や、情報抽出手段４ｂで抽出した商品情報、入力手段で入力した付加情報、あるいは、商品センタ５（商品サーバ６）等の通信相手から取得した詳細情報等を表示する手段であり、例えば携帯端末として携帯電話を適用した場合には、携帯電話が備えるディスプレイとすることができる。
【００６５】
照会手段４ｆは、商品センタ５（商品サーバ６）に商品照会を行う手段であり、記録手段４ｃに記録される通信先の情報に基づいて商品センタ５（商品サーバ６）にアクセスし、同じく記録手段４ｃに記録される商品番号等の商品を特定する識別情報に基づいて、商品照会を行う商品を特定する。この照会により商品センタ５（商品サーバ６）から取得した詳細情報は記録手段４ｃに記録され、表示手段４ｅに表示することができる。
【００６６】
注文手段４ｇは、商品センタ５（商品サーバ６）に商品を注文する手段であり、記録手段４ｃに記録される商品番号により商品を特定し、付加情報により注文する個数，色，サイズ等を指定する。
【００６７】
次に、本発明の第１の形態の動作例を図３のフローチャート及び図４の動作状態図を用いて説明する。なお、以下では、動作状態図に付した番号を（  ）により示している。
【００６８】
画像情報源２は、商品画像や商品情報を含む画像データを出力する。放送局２の場合には、商品画像や商品情報を含む商品放送を放送する。なお、この商品放送は、商品のみを放送する場合に限らず、通常の番組放送内に商品が映し出される場合も含み、例えば、ドラマやバラエティ内で出演者が使用する品物を商品として取り扱うこともできる（１）（ステップＳ１）。表示装置３は、受信した画像データを画像表示する（２）（ステップＳ２）。
【００６９】
利用者は、表示装置３に表示される商品を参照し、その商品の注文を希望する場合や商品の詳細な情報を希望する場合には、携帯端末４の撮像手段４ａによりその表示画像を撮像する（３）（ステップＳ３）。携帯端末４の情報抽出手段４ｂは、撮像手段４ａで撮像して得た画像データを画像処理して、表示画像中に含まれる商品情報を抽出し（４）、抽出した商品情報を記録手段４ｃに記録する。商品情報としては、商品を特性する商品番号や商品の注文先等の通信先が含まれる（５）。表示手段４ｅは、抽出した商品情報を表示してもよい（６）（ステップＳ４）。
【００７０】
利用者は、注文あるいは詳細情報を要求する場合には、入力手段４ｄからアクセス要求を入力する（７）。照会手段４ｆは、通信先に基づいて商品センタ（商品サーバ）５にアクセスする。商品センタ５へのアクセスは、入力手段４ｄからのアクセス要求に応じて行う他、入力手段４ｄによりアクセス要求を要することなく、画像取得に応じて自動でアクセスするようにしてもよい。
【００７１】
ここで、商品センタは、複数の商品情報提供元の商品注文を管理するサーバや各商品情報提供元が管理するサーバとすることができ、通信先は例えばこのサーバのインターネット上のＵＲＬ情報とすることができる（８）（ステップＳ５）。
【００７２】
商品センタ５は、照会要求された商品について詳細情報を携帯端末４に送信し（９）、携帯端末４の照会手段４ｆはこの詳細情報を受けて（１０）、表示手段４ｅに表示する。詳細情報には、商品の選択可能な色やサイズ等の情報を含ませることができる（１１）。利用者は、表示手段４ｅに表示される詳細情報を参考にして、注文する商品について注文する数量や、色、サイズを決定し、これらの付加情報を入力手段４ｄから入力して記録手段４ｃに記録する。なお、付加情報は上記した数量や色やサイズの他に注文する商品を特定する任意の情報とすることができる（１２）（ステップＳ６）。
【００７３】
注文手段４ｇは、記録手段４ｃに記録された商品番号や付加情報に基づいて商品センタ５に注文を通知する（１３）（ステップＳ７）。
【００７４】
携帯端末４と商品センタ５との間では、発注者情報や支払い方法、納期等に関する必要情報について確認を行って注文処理を完了する。この処理は、例えば、商品センタ５が注文情報を確認して（１４）、携帯端末４に注文情報の確認を要求し（１５）、携帯端末４の注文情報確認（１６）を商品センタ５が受けることで行う（１７）。なお、この注文処理は他の手順で行うこともできる（ステップＳ８）。
【００７５】
図５は、表示装置と携帯電話の表示状態を説明するための概略図である。図５は携帯端末として携帯電話の場合を示し、携帯電話は付属するカメラによって表示装置の表示画像を撮像する。携帯電話は、撮像画像から例えばバーコード等のコードを読み取って、商品情報を抽出する。図では、商品として食器の例を示し、商品番号Ｎｏ．０００１及び通信先のＵＲＬ情報を取得する例を示している。携帯電話は、このＵＲＬ情報を用いてアクセスを行う。
【００７６】
また、図６は、表示装置と携帯電話の表示状態を説明するための他の概略図である。この例では、表示装置の表示画面上に複数の商品が表示された場合である。この場合には、例えば、携帯電話の表示画面格子状に分割した領域と携帯電話のボタン配置とを対応させ、選択したい商品がある領域に対応するボタンを押下することで、商品を選択し指定する。指定された商品は、図５と同様に、商品情報が抽出され、通信先にアクセスが行われる。
【００７７】
次に、本発明の発注システムの第２の形態を説明する。第２の形態は、撮像画像から商品情報を抽出する機能をインターネット上の検索サーバに持たせ、携帯端末は表示装置に映し出される画像を撮像し、撮像画像を検索サーバに送り、検索サーバは撮像画像から商品情報を抽出し、携帯端末はこの商品情報に基づいて注文先にアクセスし希望する商品を注文するものである。
【００７８】
図７は本発明の第２の形態を説明するための概略図である。図７において、第２の形態は情報抽出手段を携帯端末４の外部の検索サーバ７に設ける点で第１の形態と相違している。
【００７９】
検索サーバ７はインターネット上に設けられ、前記した情報抽出手段の機能を備え、画像データを画像処理し、画像データ中に含まれる商品情報を抽出する。この商品情報の抽出は、例えば前記したように、バーコードや二次元コードから商品情報を抽出するほか、画像中に組み込まれたすかし情報を抽出することで取得することができる。その他の構成は、ほぼ図１に示す第１の形態と同様とすることができるため、ここでの各部分の説明は省略する。
【００８０】
図７において、画像情報源２は、商品映像に商品情報を重ねて形成した画像データを送信し、表示装置３は、画像情報源２から送信された画像データを受信して画像データを表示する。携帯端末４はこの表示画像を撮像機能により撮像する。
【００８１】
画像情報源２において、例えば、放送局２ａは映像信号や音声信号の放送波を放送し、放送受信機３はこの放送波を受信し、映像信号を画像表示したり、音声信号を音声出力することにより利用者に各種情報を提供する。ここで、この放送波を利用する構成では、放送局２は注文を受け付ける商品の商品映像に商品情報を重ねて映像信号を形成して放送する。
【００８２】
商品情報は、商品番号等の商品を特定するための情報や、当該商品を注文するための注文先であって携帯端末４が通信することができる通信先の情報であり、例えば、二次元コードやバーコードや、画像中に組み込んだすかし等の撮像した画像から抽出できる形態とする。
【００８３】
表示装置（放送受信機）３は、画像データ（放送波）を受信し、商品映像と共に商品情報を表示画面上に表示する。携帯端末４は、撮像機能により放送受信機３の画像を撮像し、この画像から商品情報を抽出する。
【００８４】
携帯端末４は、検索サーバ７のインターネット上のＵＲＬ情報を予め備えておき、撮像した撮像画像を検索サーバ７に送る。検索サーバ７は、撮像画像から商品情報を抽出し、携帯端末４に送り返す。
【００８５】
携帯端末４は、検索サーバ７から送られた商品情報の通信先を用いて外部の商品センタ５にアクセスし、抽出した商品情報の商品番号の他、数量や色やサイズ等の付加情報を商品センタ５に送信することにより購入を希望する商品の注文を行う。なお、携帯端末４は、注文を行う前に、商品の詳細情報を商品センタ５に要求することもできる。
【００８６】
この形態によれば、第１の形態と同様に、表示装置（放送受信機）３から携帯端末４への情報の授受を表示画面の撮像により行うことができるため、表示装置（放送受信機）３及び携帯端末４に双方向通信を行うための機能や同一規格のインタフェースは不要とすることができる他、情報抽出手段を外部の検索サーバに設ける構成とすることにより、通信先や商品番号当の多量の商品情報を携帯端末側に記録しておく必要がなくなるため、携帯端末の負担を軽減させることができ、また、商品情報が変更された場合であっても、迅速に対応することができる。
【００８７】
次に、第２の形態の携帯端末の構成例について図８を用いて説明する。図８において、携帯端末４は、撮像手段４ａ，記録手段４ｃ，入力手段４ｄ，表示手段４ｅ，照会手段４ｆ，注文手段４ｇ，送受信手段４ｈ等の各手段を備える。
【００８８】
第２の形態の携帯端末は、情報抽出手段を備えていない点と、送受信手段４ｈを備える点において第１の形態の携帯端末と相違している。
【００８９】
情報抽出手段は外部の検索サーバ７に設けられる。一方、送受信手段４ｈはこの検索サーバ７と通信接続するための手段であり、携帯端末４で撮像した撮像画像を検索サーバ７に送信し、検索サーバ７で抽出した商品情報を受信する。
【００９０】
その他の構成は第１の形態の携帯端末と同様であるため、ここでの説明は省略する。
【００９１】
次に、本発明の第２の形態の動作例を図９のフローチャート及び図１０の動作状態図を用いて説明する。なお、以下では、動作状態図に付した番号を（  ）により示している。
【００９２】
画像情報源２は、商品画像や商品情報を含む画像データを出力する。放送局２の場合には、商品画像や商品情報を含む商品放送を放送する。なお、この商品放送は、商品のみを放送する場合に限らず、通常の番組放送内に商品が映し出される場合も含み、例えば、ドラマやバラエティ内で出演者が使用する品物を商品として取り扱うこともできる（２１）（ステップＳ１１）。表示装置３は、受信した画像データを画像表示する（２２）（ステップＳ１２）。
【００９３】
利用者は、表示装置３に表示される商品を参照し、その商品の注文を希望する場合や商品の詳細な情報を希望する場合には、携帯端末４の撮像手段４ａによりその表示画像を撮像し（２３）、撮像された画像は記録手段４ｃに記録される（２４）（ステップＳ１３）。
【００９４】
携帯端末４の送受信手段４ｈは、登録してある検索サーバのＵＲＬ情報を用いて検索サーバ７にアクセスし、記録手段４ｃに記録される撮像画像を検索サーバ７に送信する（２５）（ステップＳ１４）。検索サーバ７は、送信された撮像画像を画像処理して、表示画像中に含まれる商品情報を抽出する。商品情報としては、商品を特性する商品番号や商品の注文先等の通信先が含まれる（２６）（ステップＳ１５）。
【００９５】
携帯端末４の送受信手段４ｈは、検索サーバ７から送られた商品情報を受け（２７）、記録手段４ｃに記録する（２８）（ステップＳ１６）。表示手段４ｅは、抽出した商品情報を表示してもよい（２９）。
【００９６】
利用者は、注文あるいは詳細情報を要求する場合には、入力手段４ｄからアクセス要求を入力する（３０）。照会手段４ｆは、通信先に基づいて商品センタ（商品サーバ）５にアクセスする。商品センタ５へのアクセスは、入力手段４ｄからのアクセス要求に応じて行う他、入力手段４ｄによりアクセス要求を要することなく、商品情報の取得に応じて自動でアクセスするようにしてもよい。
【００９７】
ここで、商品センタは、複数の商品情報提供元の商品注文を管理するサーバや各商品情報提供元が管理するサーバとすることができ、通信先は例えばこのサーバのインターネット上のＵＲＬ情報とすることができる（３１）（ステップＳ１７）。
【００９８】
商品センタ５は、照会要求された商品について詳細情報を携帯端末４に送信し（３２）、携帯端末４の照会手段４ｆはこの詳細情報を受けて（３３）、表示手段４ｅに表示する。詳細情報には、商品の選択可能な色やサイズ等の情報を含ませることができる（３４）。利用者は、表示手段４ｅに表示される詳細情報を参考にして、注文する商品について注文する数量や、色、サイズを決定し、これらの付加情報を入力手段４ｄから入力して記録手段４ｃに記録する。なお、付加情報は上記した数量や色やサイズの他に注文する商品を特定する任意の情報とすることができる（３５）（ステップＳ１８）。
【００９９】
注文手段４ｇは、記録手段４ｃに記録された商品番号や付加情報に基づいて商品センタ５に注文を通知する（３６）（ステップＳ１９）。
【０１００】
携帯端末４と商品センタ５との間では、発注者情報や支払い方法、納期等に関する必要情報について確認を行って注文処理を完了する。この処理は、例えば、商品センタ５が注文情報を確認して（３７）、携帯端末４に注文情報の確認を要求し（３８）、携帯端末４の注文情報の確認（３９）を商品センタ５が受けることで行う（４０）。なお、この注文処理は他の手順で行うこともできる（ステップＳ２０）。
【０１０１】
図１１は、表示装置と携帯電話の表示状態を説明するための概略図である。図５は携帯端末として携帯電話の場合を示し、携帯電話は付属するカメラによって表示装置の表示画像を撮像する。携帯電話は、撮像した撮像画像を検索サーバに送り、検索サーバにおいて商品情報を抽出させる。携帯端末は、検索サーバで抽出した商品情報を取得する。図では、商品として食器の例を示し、商品番号Ｎｏ．０１２３及び通信先のＵＲＬ情報を取得する例を示している。携帯電話は、このＵＲＬ情報を用いてアクセスを行う。
【０１０２】
次に、本発明の発注システムの第３の形態を説明する。第３の形態は、撮像画像から商品情報を抽出する機能を、携帯端末と商品の注文先との間を接続する管理サーバに持たせ、携帯端末は表示装置に映し出される画像を撮像して撮像画像を管理サーバに送り、管理サーバは撮像画像から商品情報を抽出し、抽出した商品情報に基づいて注文先にアクセスし、携帯端末はこの管理サーバを通してこの希望する商品を注文するものである。
【０１０３】
図１２は本発明の第３の形態を説明するための概略図である。図１２において、第３の形態は携帯端末４と商品センタ５との間に管理サーバ８を設け、この管理サーバ８に情報抽出手段を設ける点で相違する。
【０１０４】
管理サーバ８はインターネット上に設けられ、携帯端末４と商品センタ５との間に通信を中継する機能と共に前記した情報抽出手段の機能を備え、画像データを画像処理し、画像データ中に含まれる商品情報を抽出する。この商品情報の抽出は、例えば前記したように、バーコードや二次元コードから商品情報を抽出するほか、画像中に組み込まれたすかし情報を抽出することで取得することができる。その他の構成は、ほぼ図１に示す第１の形態と同様とすることができるため、ここでの各部分の説明は省略する。
【０１０５】
図１２において、画像情報源２は、商品映像に商品情報を重ねて形成した画像データを送信し、表示装置３は、画像情報源２から送信された画像データを受信して画像データを表示する。携帯端末４はこの表示画像を撮像機能により撮像する。
【０１０６】
画像情報源２において、例えば、放送局２ａは映像信号や音声信号の放送波を放送し、放送受信機３はこの放送波を受信し、映像信号を画像表示したり、音声信号を音声出力することにより利用者に各種情報を提供する。ここで、この放送波を利用する構成では、放送局２は注文を受け付ける商品の商品映像に商品情報を重ねて映像信号を形成して放送する。
【０１０７】
商品情報は、商品番号等の商品を特定するための情報や、当該商品を注文するための注文先であって携帯端末４が通信することができる通信先の情報であり、例えば、二次元コードやバーコードや、画像中に組み込んだすかし等の撮像した画像から抽出できる形態とする。
【０１０８】
表示装置（放送受信機）３は、画像データ（放送波）を受信し、商品映像と共に商品情報を表示画面上に表示する。携帯端末４は、撮像機能により放送受信機３の画像を撮像し、この画像から商品情報を抽出する。
【０１０９】
携帯端末４は、管理サーバ８のインターネット上のＵＲＬ情報を予め備えておき、撮像した撮像画像を管理サーバ８に送る。管理サーバ８は、撮像画像から商品情報を抽出し、抽出した商品情報に基づいて商品センタ５にアクセスする。
【０１１０】
携帯端末４は、管理サーバ８を介して商品センタ５と接続し、商品情報の商品番号の他、数量や色やサイズ等の付加情報を管理サーバ８を介して商品センタ５に送信することにより購入を希望する商品の注文を行う。なお、携帯端末４は、注文を行う前に、商品の詳細情報を管理サーバ８を介して商品センタ５に要求することもできる。
【０１１１】
この形態によれば、第１の形態と同様に、表示装置（放送受信機）３から携帯端末４への情報の授受を表示画面の撮像により行うことができるため、表示装置（放送受信機）３及び携帯端末４に双方向通信を行うための機能や同一規格のインタフェースは不要とすることができる他、第２の形態の検索サーバによる効果と同様に、情報抽出手段を外部の検索サーバに設ける構成とすることにより、通信先や商品番号当の多量の商品情報を携帯端末側に記録しておく必要がなくなるため、携帯端末の負担を軽減させることができ、商品情報が変更された場合であっても迅速に対応することができる。
【０１１２】
また、商品センタとは管理サーバを介して接続する構成であるため、携帯端末は常に管理サーバとのみ接続していればよく、商品センタとの接続処理が不要となる。
【０１１３】
次に、第３の形態の携帯端末の構成例について図１３を用いて説明する。図１３において、携帯端末４は、撮像手段４ａ，記録手段４ｃ，入力手段４ｄ，表示手段４ｅ，照会手段４ｆ，注文手段４ｇ等の各手段を備え、管理サーバ８は情報抽出手段８ａを備える。
【０１１４】
第３の形態は、携帯端末が情報抽出手段を備えていない点、及び情報抽出手段８ａを有した管理サーバを備える点において第１の形態の携帯端末と相違している。
【０１１５】
なお、図１３の構成では、携帯端末４は、管理サーバ８との通信を照会手段４ｆで行う構成としているが、第２の形態と同様に送受信手段としてもよい。
【０１１６】
その他の構成は第１の形態の携帯端末と同様であるため、ここでの説明は省略する。
【０１１７】
次に、本発明の第３の形態の動作例を図１４のフローチャート及び図１５の動作状態図を用いて説明する。なお、以下では、動作状態図に付した番号を（  ）により示している。
【０１１８】
画像情報源２は、商品画像や商品情報を含む画像データを出力する。放送局２の場合には、商品画像や商品情報を含む商品放送を放送する。なお、この商品放送は、商品のみを放送する場合に限らず、通常の番組放送内に商品が映し出される場合も含み、例えば、ドラマやバラエティ内で出演者が使用する品物を商品として取り扱うこともできる（５１）（ステップＳ２１）。表示装置３は、受信した画像データを画像表示する（５２）（ステップＳ２２）。
【０１１９】
利用者は、表示装置３に表示される商品を参照し、その商品の注文を希望する場合や商品の詳細な情報を希望する場合には、携帯端末４の撮像手段４ａによりその表示画像を撮像し（５３）、撮像された画像は記録手段４ｃに記録される（５４）。撮像した商品画像は表示手段４ｅに表示することもできる（５５）（ステップＳ２３，２４）。
【０１２０】
利用者は、商品の注文あるいは商品の詳細情報を要求する場合には、入力手段４ｄから管理サーバ８へのアクセスを要求する（５６）。照会手段４ｆは、アクセス要求に応じて登録してある管理サーバのＵＲＬ情報を用いて管理サーバ８にアクセスし、記録手段４ｃに記録される撮像画像を検索サーバ７に送信する（５７）（ステップＳ２５）。
【０１２１】
管理サーバ８は、送信された撮像画像を画像処理して、表示画像中に含まれる商品情報を抽出する。商品情報としては、商品を特性する商品番号や商品の注文先等の通信先が含まれる（５８）（ステップＳ２６）。
【０１２２】
携帯端末は、抽出した商品情報を参照する場合には、管理サーバ８から抽出した商品情報を受け取り（５９）、表示手段４ｅに表示する（６０）。
【０１２３】
また、より詳細な情報を参照する場合には、管理サーバ８は、抽出した通信先を用いて商品センタ５にアクセスする。商品センタ５は、照会要求された商品の詳細情報を管理サーバ８に送る。商品センタ５へのアクセスは、入力手段４ｄからのアクセス要求に応じて行う他、入力手段４ｄによりアクセス要求を要することなく、商品情報の取得に応じて自動でアクセスするようにしてもよい。
【０１２４】
ここで、商品センタは、複数の商品情報提供元の商品注文を管理するサーバや各商品情報提供元が管理するサーバとすることができ、通信先は例えばこのサーバのインターネット上のＵＲＬ情報とすることができる（６１）（ステップＳ２７）。
【０１２５】
管理サーバ８は、商品センタ５から送られた詳細情報を携帯端末に転送する（６２）（ステップＳ２８）。携帯端末は、管理サーバ８から転送された詳細情報を受け取り（６３）、表示手段４ｅに表示する。詳細情報には、商品の選択可能な色やサイズ等の情報を含ませることができる（６４）。
【０１２６】
利用者は、表示手段４ｅに表示される詳細情報を参考にして、注文する商品について注文する数量や、色、サイズを決定し、これらの付加情報を入力手段４ｄから入力して記録手段４ｃに記録する。なお、付加情報は上記した数量や色やサイズの他に注文する商品を特定する任意の情報とすることができる（６５）（ステップＳ２９）。
【０１２７】
注文手段４ｇは、記録手段４ｃに記録された商品番号や付加情報に基づいて管理サーバ８に注文を通知する（６６）（ステップＳ３０）。管理サーバ８は、携帯端末４から受けた注文情報を受け、商品センタ５に転送する（６７）。
【０１２８】
携帯端末４と商品センタ５との間では、管理サーバを介して発注者情報や支払い方法、納期等に関する必要情報について確認を行って注文処理を完了する。この処理は、例えば、商品センタ５が注文情報を確認して（６８）、注文情報の確認を要求し（６９）、管理サーバ８はこの確認要求を転送し（７０）、携帯端末４の注文手段は注文情報を確認し（７１）、管理サーバ８は注文情報の確認を商品センタ５に転送し（７２）、商品センタ５はこの注文情報の確認する（７３）。なお、この注文処理は他の手順で行うこともできる（ステップＳ３１）。
【０１２９】
図１６は、表示装置と携帯電話の表示状態を説明するための概略図である。図１６は携帯端末として携帯電話の場合を示し、携帯電話は付属するカメラによって表示装置の表示画像を撮像する。携帯電話は、撮像した撮像画像を管理サーバに送り、管理サーバにおいて商品情報を抽出させる。携帯端末は、管理サーバで抽出した商品情報を取得し、管理サーバを介して商品センタにアクセスする。
【０１３０】
図１６では、商品として食器の例を示し、管理サーバが商品番号Ｎｏ．０００１及び通信先のＵＲＬ情報を取得する例を示している。
【０１３１】
次に、本発明の発注システムの第４の形態を説明する。
【０１３２】
第４の形態は、撮像画像から商品情報を抽出する機能を放送局サーバに持たせ、携帯端末は放送受信機に映し出される画像を撮像し、撮像画像を放送局サーバに送り、放送局サーバに放送情報を持たせることにより、放送局サーバは放送局から取得した放送情報を利用して撮像画像から商品情報を抽出する。放送局サーバは、商品情報に基づいて注文先にアクセスし、このアクセスを携帯端末に転送する。携帯端末は転送された注文先に対して希望する商品を注文する。
【０１３３】
第４の形態の発注システムは、撮像手段と外部の商品センタに商品注文を行う注文手段とを備える携帯端末と、商品情報を含む画像から当該商品情報を抽出する情報抽出手段を有すると共に、携帯端末の通信相手を当該通信先に転送する機能を有する情報管理サーバとを備える。
【０１３４】
図１７は本発明の第４の形態を説明するための概略図である。図１７において、第４の形態は情報抽出手段を携帯端末４の外部の情報管理サーバ９に設ける点で第１の形態と相違している。
【０１３５】
情報管理サーバ９はインターネット上に設けられ、情報抽出手段の機能を備え、画像データを画像処理して商品情報を抽出する他に、携帯端末の通信相手を当該通信先に転送する機能を有する。
【０１３６】
商品情報は、前記した第１〜第３の形態のように画像データ内に含める形態と異なり、情報管理サーバが記録しておき、画像データに基づいて抽出を行うものである。
【０１３７】
その他の構成は、ほぼ図１に示す第１の形態と同様とすることができるため、ここでの各部分の説明は省略する。
【０１３８】
図１７において、画像情報源２は、商品映像の画像データを送信し、表示装置３は、画像情報源２から送信された画像データを受信して画像表示する。携帯端末４はこの表示画像を撮像機能により撮像する。
【０１３９】
画像情報源２において、例えば、放送局２ａは映像信号や音声信号の放送波を放送し、放送受信機３はこの放送波を受信し、映像信号を画像表示したり、音声信号を音声出力することにより利用者に各種情報を提供する。ここで、この放送波を利用する構成では、放送局２は注文を受け付ける商品の商品映像を放送する。
【０１４０】
一方、商品情報は、商品番号等の商品を特定するための情報や、当該商品を注文するための注文先であって携帯端末４が通信することができる通信先の情報であり、この第４の形態では、情報管理サーバ８に記録しておき、商品の画像に基づいて情報管理サーバ８から抽出する形態とする。なお、画像情報源２が放送局２ａである場合には、情報管理サーバ８は放送局サーバとする。以下、情報管理サーバ８が放送局サーバの場合について説明する。
【０１４１】
表示装置（放送受信機）３は、画像データ（放送波）を受信し、商品映像を表示画面上に表示する。携帯端末４は、撮像機能により放送受信機３の画像を撮像する。
【０１４２】
携帯端末４は、情報管理サーバ（放送局サーバ）９のインターネット上のＵＲＬ情報を予め備えておき、撮像した撮像画像を情報管理サーバ（放送局サーバ）９に送る。情報管理サーバ（放送局サーバ）９は、記録してある商品情報から撮像画像に基づいて求める商品情報を抽出し、当該商品情報と共に携帯端末のアクセスを商品センタ５に移す。
【０１４３】
携帯端末４は、情報管理サーバ（放送局サーバ）９による転送により商品センタ５とアクセスすることになる。携帯端末４は、商品情報の商品番号の他、数量や色やサイズ等の付加情報を商品センタ５に送信することにより購入を希望する商品の注文を行う。なお、携帯端末４は、注文を行う前に、商品の詳細情報を商品センタ５に要求することもできる。
【０１４４】
この形態によれば、第１の形態と同様に、表示装置（放送受信機）３から携帯端末４への情報の授受を表示画面の撮像により行うことができるため、表示装置（放送受信機）３及び携帯端末４に双方向通信を行うための機能や同一規格のインタフェースは不要とすることができる他、情報抽出手段を外部の情報管理サーバに設ける構成とすることにより、通信先や商品番号当の多量の商品情報を携帯端末側に記録しておく必要がなくなるため、携帯端末の負担を軽減させることができ、また、商品情報が変更された場合であっても、迅速に対応することができる。
【０１４５】
次に、第４の形態の携帯端末の構成例について図１８を用いて説明する。図１８において、携帯端末４は、撮像手段４ａ，記録手段４ｃ，入力手段４ｄ，表示手段４ｅ，照会手段４ｆ，注文手段４ｇ，送受信手段４ｈ，受信手段４ｉ等の各手段を備える。
【０１４６】
第４の形態の携帯端末は、情報抽出手段を備えていない点と、送受信手段４ｈ，受信手段４ｉを備える点において第１の形態の携帯端末と相違している。
【０１４７】
情報抽出手段は外部の情報管理サーバ（放送局サーバ）９に設けられる。一方、送受信手段４ｈはこの情報管理サーバ（放送局サーバ）９と通信接続するための手段であり、携帯端末４で撮像した撮像画像を情報管理サーバ（放送局サーバ）９に送信し、情報管理サーバ（放送局サーバ）９で抽出した商品情報を受信する。
【０１４８】
情報管理サーバ（放送局サーバ）９が備える情報抽出手段９ａは、放送局等の画像情報源２からの情報に基づいて、撮像された撮像画像に対応する商品の商品情報を抽出する。例えば、放送局から放送番組の放送時間情報を取得し、携帯端末から送られた撮像画像の撮像時間とこの放送時間とを照合することにより、撮像画像に映されている商品を特定し、対応する商品情報を抽出する。
【０１４９】
その他の構成は第１の形態の携帯端末と同様であるため、ここでの説明は省略する。
【０１５０】
次に、本発明の第４の形態の動作例を図２０のフローチャート及び図２１の動作状態図を用いて説明する。なお、以下では、動作状態図に付した番号を（  ）により示している。なお、以下では、画像情報源が放送局の場合について示している。
【０１５１】
放送局２ａは、商品画像や商品情報を含む画像データを放送する。この商品放送は、商品のみを放送する場合に限らず、通常の番組放送内に商品が映し出される場合も含み、例えば、ドラマやバラエティ内で出演者が使用する品物を商品として取り扱うこともできる（８１）（ステップＳ４１）。表示装置３は、受信した画像データを画像表示する（８２）（ステップＳ４２）。
【０１５２】
利用者は、表示装置３に表示される商品を参照し、その商品の注文を希望する場合や商品の詳細な情報を希望する場合には、携帯端末４の撮像手段４ａによりその表示画像を撮像し（８３）（ステップＳ４３）、撮像された画像は記録手段４ｃに記録される（８４）。また、表示手段４ｅに商品映像を表示することもできる（８５）（ステップＳ４４）。
【０１５３】
利用者は、アクセスを要求する場合には、入力手段４ｄによりアクセスを要求し（８６）、送受信手段４ｈは、登録してある放送局サーバのＵＲＬ情報を用いて放送局にアクセスし、記録手段４ｃに記録される撮像画像、及び撮像時間を放送局サーバに送信する（８７）（ステップＳ４５）。放送局サーバは、送信された撮像画像を画像処理し、撮像時間を放送番組の放送時間と照合して、表示画像中に含まれる商品を特定し、対応する商品の商品情報を抽出する。商品情報としては、商品を特性する商品番号や商品の注文先等の通信先が含まれる（ステップＳ４６）。放送局サーバは、抽出して抽出先の商品センタ５に携帯端末の通信を転送する（８８）（ステップＳ４７）。
【０１５４】
商品センタ５は、放送局サーバから送られた商品情報に基づいて詳細情報を抽出し、転送された携帯端末に送信する（８９）（ステップＳ４８）。
【０１５５】
携帯端末の受信手段４ｉは詳細情報を受信し（９０）、表示手段４ｅに表示する（９１）。利用者は、注文を要求する場合には、入力手段４ｄから数量，色，サイズ等の付加情報を入力し記録する（９２）（ステップＳ４９）。
【０１５６】
注文手段４ｇは、記録手段４ｃに記録された商品番号や付加情報に基づいて商品センタ５に注文を通知する（９３）（ステップＳ５０）。
【０１５７】
携帯端末４と商品センタ５との間では、発注者情報や支払い方法、納期等に関する必要情報について確認を行って注文処理を完了する。この処理は、例えば、商品センタ５が注文情報を確認して（９４）、携帯端末４に注文情報の確認を要求し（９５）、携帯端末４の注文情報の確認（９６）を商品センタ５が受けることで行う（９７）。なお、この注文処理は他の手順で行うこともできる（ステップＳ５１）。
【０１５８】
図２１は、表示装置と携帯電話の表示状態を説明するための概略図である。図２１は携帯端末として携帯電話の場合を示し、携帯電話は付属するカメラによって表示装置の表示画像を撮像する。携帯電話は、撮像した撮像画像を放送局サーバに送り、放送局サーバにおいて商品情報を抽出させる。携帯端末は、放送局サーバで抽出した商品情報を取得する。図２１では、商品として傘の例を示し、画像情報から商品サーバを抽出して接続し、この接続を携帯端末に映す例を示している。
【産業上の利用可能性】
【０１５９】
本発明の発注システムは、放送局の他、ＤＶＤ等の画像データの記録媒体、ネットワーク等を介して画像配信を行う画像供給サーバ等の種々の画像情報源から得られた画像データを表示装置に表示する形態に適用することができ、また、表示装置も、放送を受けて表示する放送受信機、記録媒体に記録される画像データを再生する再生装置等に適用することができる。
【図面の簡単な説明】
【０１６０】
【図１】本発明の第１の形態を説明するための概略図である。
【図２】本発明の第１の形態の携帯端末の構成例を説明するための図である。
【図３】本発明の第１の形態の動作例を説明するためのフローチャートである。
【図４】本発明の第１の形態の動作例を説明するための動作状態図である。
【図５】本発明の第１の形態の表示装置と携帯電話の表示状態を説明するための概略図である。
【図６】本発明の第１の形態の表示装置と携帯電話の表示状態を説明するための他の概略図である。
【図７】本発明の第２の形態を説明するための概略図である。
【図８】本発明の第２の形態の携帯端末の構成例を説明するための図である。
【図９】本発明の第２の形態の動作例を説明するためのフローチャートである。
【図１０】本発明の第２の形態の動作例を説明するための動作状態図である。
【図１１】本発明の第２の形態の表示装置と携帯電話の表示状態を説明するための概略図である。
【図１２】本発明の第３の形態を説明するための概略図である。
【図１３】本発明の第３の形態の携帯端末の構成例を説明するための図である。
【図１４】本発明の第３の形態の動作例を説明するためのフローチャートである。
【図１５】本発明の第３の形態の動作例を説明するための動作状態図である。
【図１６】本発明の第３の形態の表示装置と携帯電話の表示状態を説明するための概略図である。
【図１７】本発明の第４の形態を説明するための概略図である。
【図１８】本発明の第４の形態の携帯端末の構成例を説明するための図である。
【図１９】本発明の第４の形態の動作例を説明するためのフローチャートである。
【図２０】本発明の第４の形態の動作例を説明するための動作状態図である。
【図２１】本発明の第４の形態の表示装置と携帯電話の表示状態を説明するための概略図である。
【符号の説明】
【０１６１】
１  発注システム    
２  画像情報源
２ａ  放送局
２ｂ  再生装置
２ｃ  送信装置
３  表示装置
４  携帯端末
４ａ  撮像手段
４ｂ  情報抽出手段
４ｃ  記録手段
４ｄ  入力手段
４ｅ  表示手段
４ｆ  照合手段
４ｇ  注文手段
４ｈ  送受信手段
４ｉ  受信手段
５  商品センタ
６  商品サーバ
７  検索サーバ
７ａ  情報抽出手段
８  管理サーバ
８ａ  情報抽出手段
９  情報管理サーバ
９ａ  情報抽出手段
【図１】
2005122516.tif 000003
【図２】
2005122516.tif 000004
【図３】
2005122516.tif 000005
【図４】
2005122516.tif 000006
【図５】
2005122516.tif 000007
【図６】
2005122516.tif 000008
【図７】
2005122516.tif 000009
【図８】
2005122516.tif 000010
【図９】
2005122516.tif 000011
【図１０】
2005122516.tif 000012
【図１１】
2005122516.tif 000013
【図１２】
2005122516.tif 000014
【図１３】
2005122516.tif 000015
【図１４】
2005122516.tif 000016
【図１５】
2005122516.tif 000017
【図１６】
2005122516.tif 000018
【図１７】
2005122516.tif 000019
【図１８】
2005122516.tif 000020
【図１９】
2005122516.tif 000021
【図２０】
2005122516.tif 000022
【図２１】
2005122516.tif 000023